(57)【要約】【課題】  建築用型枠の断熱パネルは、その最下部から最上部にわたり強固に保持されて、高精度な垂直保持ができ、また、在来のセパレータが不要であって部品点数が少なく構造が簡単であり、その上、施工性に優れており、大幅なコストダウンが達成される。【解決手段】  断熱パネル１と支保工Ｃとよりなる建築用型枠であって、支保工Ｃは、断面Ｔ字状の縦端太３０および横縦端太４０と、緊結部材５０よりなり、断熱パネル１の外面に複数の縦端太３０を縦方向に固定し、これらの縦端太３０外面に複数の横端太４０を格子状に重ね合わせ、縦端太３０と横端太４０の交差部を緊結部材５０により一体に緊結する。【選択図】    図７
2006169893.tif 000002
【特許請求の範囲】
【請求項１】
コンクリートを打込み成形するための、型枠パネル（１）と支保工（Ｃ）とよりなる、建築用型枠であって、
前記支保工（Ｃ）は、断面Ｔ字状のバー部材よりなる複数の縦端太（３０）および横縦端太（４０）と、複数の緊結部材（５０）よりなり、
コンクリートの打設空間（Ｓ）を存して起立固定される型枠パネル（１）の外面に、複数の縦端太（３０）を横方向に間隔をあけて縦方向に仮止めし、これらの縦端太（３０）の外面に、複数の横端太（４０）を格子状に重ね合わせ、前記縦端太（３０）と横端太（４０）の交差部を、前記緊結部材（５０）により一体に緊結してなることを特徴とする、建築用型枠。
【請求項２】
前記緊結部材（５０）は、く字状に屈曲して構成され、その屈曲部（５０ｄ）を、横端太（４０）の外縁に係合させつつ、該横端太（４０）を跨いでその両端を、前記縦端太（３０）に穿設した連結孔（３１）に差込係止させたことを特徴とする、前記請求項１記載の建築用型枠。
【請求項３】
前記縦端太（３０）と横端太（４０）は、上下に連結して立て込まれる前記型枠パネル（１）を連結する連結バー（１０）と同じ部材であることを特徴とする、前記請求項１または２記載の建築用型枠。
【発明の詳細な説明】
【技術分野】
【０００１】
本発明は、コンクリートを打込み成形するための、型枠パネルと支保工とよりなる、建築用型枠に関するものである。
【背景技術】
【０００２】
従来、コンクリート躯体を有する建築物において、そのコンクリート躯体を打込み成形するための、壁の型枠は、型枠パネル（コンクリートパネル）と、支保工とより構成されており、この支保工は、コンクリートの打設空間を存して立て込まれた内、外側の型枠パネルの各外面に縦横に組み付けられた角パイプなどよりなる縦端太と横端太と、内外側の型枠パネルを貫通して、前記縦端太と横端太に一体に結合されるセパレータ組立体（セパレータ、フォ−ムタイ、コーン、座金、ナットなどよりなる）を備え、セパレータ組立体は、内外側の型枠パネル間の間隔を一定に保持すると共にそれらの型枠パネルの変形、撓みを防止するようにされている（下記非特許文献１参照）。
【非特許文献１】図書  図解「建築の型わく工事」  畑中  和穂著  理工学社編          １９９０年７月１５日発行
【発明の開示】
【発明が解決しようとする課題】
【０００３】
ところで、前記従来の建築用型枠では、図９に示すように、内、外側の型枠パネルの変形、撓みを防止して、型枠パネル全面の垂直保持をするには、複数のセパレータ組立体の間隔狭め、それらの段数を増やして設ける必要があり、特に、最上段の壁の型枠パネルは、その変形量、撓み量が大きくなるので、上下のセパレータ組立体の間隔を一層を狭める必要があり、その結果、型枠組立の施工性が悪くなり、また、組付けられた型枠の最上部分、すなわちスラブの型枠の接続される部分は、セパレータ組立体による、内、外の壁の型枠パネルの緊結が困難なため、変形し易く（図９二点鎖線）、型枠パネルを垂直保持調整するのが難しく、別途の保持部材が必要になり、全体として大幅なコスト増を招くという問題があった。
【０００４】
本発明は、かかる実情に鑑みてなされたものであり、在来のセパレータ組立体を用いることなく、内、外側の型枠パネルの変形、撓みを防止し、かつ壁の型枠パネルの全域にわたる垂直保持を堅固なものとして、前記問題を解決した新規な建築用型枠を提供することを目的とするものである。
【課題を解決するための手段】
【０００５】
上記目的を達成するために、請求項１記載の発明は、コンクリートを打込み成形するための、型枠パネルと支保工とよりなる、建築用型枠であって、前記支保工は、断面Ｔ字状のバー部材よりなる複数の縦端太および横縦端太と、複数の緊結部材よりなり、コンクリートの打設空間を存して起立固定される型枠パネルの外面に、複数の縦端太を横方向に間隔をあけて縦方向に仮止めし、これらの縦端太の外面に、複数の横端太を格子状に重ね合わせ、前記縦端太と横端太の交差部を、前記緊結部材により一体に緊結してなることを特徴としている。
【０００６】
また、上記目的を達成するために、請求項２記載の発明は、前記請求項１記載のものにおいて、前記緊結部材は、く字状に屈曲して構成され、その屈曲部を、横端太の外縁に係合させつつ、該横端太を跨いでその両端を、前記縦端太に穿設した連結孔に差込係止させたことを特徴としている。
【０００７】
さらに、上記目的を達成するために、請求項３記載の発明は、前記請求項１または２記載のものにおいて、前記縦端太と横端太は、上下に連結して立て込まれる前記型枠パネルを連結する連結バーと同じ部材であることを特徴としている。
【発明の効果】
【０００８】
本請求項１記載の発明によれば、型枠パネルの外面に、複数の縦端太を横方向に間隔をあけて縦方向に仮止めし、これらの縦端太の外面に、複数の横端太を格子状に重ね合わせ、前記縦端太と横端太の交差部を、前記緊結部材により一体に緊結してなるので、型枠パネルは、その最下部から最上部にわたり強固に保持されて、高精度な垂直保持ができ、特に、壁の型枠の最上段部分を強固に緊結することが可能になる。また、在来のセパレータが不要であって部品点数が少なく構造が簡単であり、その上、施工性に優れており、大幅なコストダウンを達成することができる。
【０００９】
また、本請求項２記載の発明によれば、緊結部材による、縦端太と横端太との結合が簡単容易であり、支保工の施工性が一層高められる。
【００１０】
さらに、本請求項３記載の発明によれば、縦端太と横端太は、上下に連結して立て込まれる前記型枠パネルを連結する連結バーと同じ部材で構成されるので、部品点数の削減が顕著になり、一層のコストダウンが達成される。
【発明を実施するための最良の形態】
【００１１】
以下、本発明の実施の形態を、添付図面に例示した本発明の実施例に基づいて以下に具体的に説明する。
【００１２】
図１は、連結バーを取り付けた型枠パネル（断熱パネル）の斜視図、図２は、壁の型枠を立て込んだ状態を示す斜視図、図３は、図２の３−３線に沿う拡大断面図、図４は、図３の４矢視仮想線囲い部分の拡大図、図５は、図２の５矢視仮想線囲い部分の拡大図、図６は、図５の６矢視図、図７は、壁の型枠を立て込んだ後に、スラブの型枠を組み込んだ状態を示す斜視図、図８は、図７の８−８線に沿う拡大断面図である。
【００１３】
本発明にかかる建築用の壁の型枠ＭＷは、型枠パネルを構成する断熱パネル１と、支保工Ｃとよりなり、支保工ＣはＴバーよりなる縦端太３０、横端太４０および緊締部材５０とより構成される。
【００１４】
図１に示すように、断熱パネルは１は、硬質の断熱合成樹脂材により、長方形の板状に形成されており、高断熱性であり、しかも軽量であるポリスチレン、ポリウレタンなどの硬質の発泡合成樹脂材により構成される。前記断熱パネル１の外面１ｏおよび内面１ｉは、いずれも平坦面に形成されている。また、断熱パネル１の上面１ｕおよび下面１ｄには、その全長にわたりその厚み方向の中間部に、後述するＴバーよりなる連結バー１０を差し込むためのリット２，２が形成される。
【００１５】
つぎに、壁の型枠ＭＷを設置すべく、互いに上下方向に直立して立て込まれる上、下段の断熱パネル１，１を一体に結合するための連結バー１０の構造について説明する。
【００１６】
図１に示すように、この連結バー１０は、硬質の合成樹脂板、あるいは亜鉛鋼板などの金属板により形成され、断熱パネル１の長手方向の長さと略同じ長さにを有しており、平坦な板状に形成される帯状の第１の部分１０1 と、この第１の部分１０1 の一端から略直角に形成される第２の部分１０2 を有して横断面Ｔ字状に形成され、前記第１の部分１０1 外側にはその長手方向に間隔をあけて複数の連結孔１１…が一列に穿設されている。
【００１７】
また、後に述べるように、コンクリート打設空間Ｓを存して互いに立て込まれる内、外の断熱パネル１，１同士は、アッセンブリタイ２０により結合され、このアッセンブリタイ２０は、直状の棒材の両端に略直角に屈曲する係止部２０ａ，２０ａを有して「カスガイ」状に形成される。
【００１８】
支保工Ｃの一部品を構成する前記縦端太３０は、この実施例では、前記連結バー１０と兼用されるべく、それと同じもので構成され、すなわち、図５，６に明瞭に示すように、第１、第２部分３０1 ，３０2 とにより断面Ｔ字状に形成され、第１の部分３０1 には、複数の連結孔３１…が穿設される。
【００１９】
また、支保工の他の一部品を構成する前記横端太４０は、この実施例では、前記縦端太３０と同じく前記連結バーと１０兼用すべく、それと同じもので構成され、すなわち、図５，６に明瞭に示すように、第１、第２の部分４０1 ，４０2 とにより、断面Ｔ字状に形成され、第１の部分４０1 には、複数の連結孔４１…が穿設される。
【００２０】
さらに、支保工Ｃのさらに他の一部品を構成する前記緊結部材５０は、図５，６に明瞭に示すように、金属棒などの棒体により、中間部にく字状に屈曲される屈曲部５０ｄを有し、その一端部には、係合段部５０ｂを介して差込部５０ａが形成され、またその他端部に略直角に屈曲される係止部５０ｃが形成されている。
【００２１】
つぎに、図２〜８を参照して、前記断熱パネル１および支保工Ｃを構成する、縦端太３０、横端太４０および緊結部材５０を用いて、建築用の壁の型枠ＭＷを組み付ける場合について説明する。
【００２２】
建築用の壁の型枠ＭＷは、基礎Ｂ上に、コンクリート打設空間Ｓを存して互いに立て込まれる内、外側の断熱パネル１…を備える。
【００２３】
図４に示すように、下段の断熱パネル１（Ｄ）に、上段の断熱パネル１（Ｕ）を建て込み連結するには、前述のように予め連結バー１０を固定した下段の断熱パネル１（Ｄ）を鉛直状態に保持し、そこに上段の断熱パネル１（Ｕ）を立て込む。このとき、上段の断熱パネル１（Ｕ）のスリット２には、連結バー１０の第２の部分１０2 が差込み固定される。
【００２４】
この建て込み状態では、互いに対応する各段の断熱パネル１（Ｕ），１（Ｄ）同士は、連結バー１０の第１の部分１０1 の連結孔１１にアッセンブリタイ２０の両端の係止部２０ａ，２０ａをそれぞれ差込み係合することにより、一体に連結される。
【００２５】
ところで、複数段に立て込まれる断熱パネル１…は、コンクリートの打設圧力により、変形したり、撓んだりすることがないように充分な強度を保有させ、かつ高精度の垂直保持性を確保するために、本発明にかかる支保工Ｃにより補強される。
【００２６】
図２〜６に示すように、複数段に立て込まれた、内、外断熱パネル１…の外側面には、Ｔバーよりなる複数の縦端太３０…が、横方向に間隔をあけて略垂直に並列され、これらの縦端太３０…は、タップネジなどの固着具３３により連結バー１０に仮止めされる。
【００２７】
複数の縦端太３０…の外面には、それらと直交するように同じくＴバーよりなる複数の横端太４０…を上下方向に間隔をあけて格子状に重ね合わせ、縦端太３０…と横端太４０…の各交差部は、緊結部材５０…により一体に緊結される。すなわち、図５，６の明瞭に示すように、緊結部材５０の一端の差込部５０ａを、縦端太３０の連結孔３１に差し込み、その係合段部５０ｃを連結孔３１に係合させたのち、該緊結部材５０のく字状屈曲部５０ｄを横端太４０の第１の部分４０1 の外縁部に係合して、その他端の係止部５０Ｃを他の連結孔３１に差し込む。
【００２８】
なお、緊結部材５の他端の係止部５０を先に縦端太３０の連結孔３１に差し込んだのちに、緊結部材５０のく字状屈曲部５０ｄを横端太４０の第１の部分４０1 の外縁部に係合し、その一端の差込部５０ａを、他の連結孔３１に差し込み、その係合段部５０ｂを連結孔３１に係合して、縦端太３０…と横端太４０…の各交差部を緊結部材５０…により一体に緊結してもよい。
【００２９】
以上により、複数段に立て込まれた、内、外断熱パネル１…は、縦端太３０、横端太４０および緊結部材５０よりなる支保工Ｃにより堅固に支持される。
【００３０】
図２，３に示すように、壁の型枠ＭＷは、複数本のパイプサポート２５により、さらに支持される。すなわち、内側の断熱パネル１の、最上部の横端太４０と、基礎Ｂとの間には、複数のパイプサポート２５を突っ張らせる、これにより壁の型枠ＭＷの強度が高められ、その垂直保持を一層確かなものとすることができる。
【００３１】
図７，８に示すように、壁の型枠ＭＷの最上部には、スラブの型枠ＭＳが組み付けられる。このスラブの型枠ＭＳの型枠パネル６０は、根太６１および大引６２を介して複数本のパイプサポート６３により支持される。
【００３２】
以上のようにして、組み付けられた、壁の型枠ＭＷおよびスラブの型枠ＭＳよりなる型枠Ｍにより形成されたコンクリートの打設空間Ｓには、図示しない鉄筋が組み込まれ、図８に鎖線にて示すように、該空間Ｓにコンクリートを打設することにより、建築物のコンクリート躯体が成形される。
【００３３】
コンクリートの打設後は、支保工Ｃは、分解して断熱パネル１から取り除かれるが、断熱パネル１は、コンクリート躯体と一体のまま、建築物の断熱壁として利用される。
【００３４】
以上のように、この実施例では、壁の型枠ＭＷの支保工Ｃは、縦横に組まれる縦端太３０および横端太４０と、それらを緊結する緊結部材５０とより構成され、この支保工Ｃにより断熱パネル１…は、その最下部から最上部にわたり強固に保持されて、高精度な垂直保持がなされる。特に、壁の型枠ＭＷの最上段部分、すなわちスラブ型枠ＭＳとのつなぎ部分（従来のセパレータ組立体では、このつなぎ部分を緊結するのは困難）を強固に緊結することが可能になる。
【００３５】
また、この実施例による支保工Ｃは、縦端太３０および横端太４０および緊結部材５０よりなり、従来のセパレータ組立体を採用しないで済み、特に、前記縦端太３０と横端太４０は、いずれも断熱パネル１の連結バー１０とに兼用されることから、部品点数が削減され、しかもその施工が大幅に簡略化されて、その生産コスト、施工コストの低減が図れる。
【００３６】
以上、本発明の実施例について説明したが、本発明はその実施例に限定されることなく、本発明の範囲内で種々の実施例が可能である。
【図面の簡単な説明】
【００３７】
【図１】連結バーを取り付けた型枠パネル（断熱パネル）の斜視図
【図２】壁の型枠を立て込んだ状態を示す斜視図
【図３】図２の３−３線に沿う拡大断面図
【図４】図３の４矢視仮想線囲い部分の拡大図
【図５】図２の５矢視仮想線囲い部分の拡大図
【図６】図５の６矢視図
【図７】壁の型枠を立て込んだ後に、スラブの型枠を組み込んだ状態を示す斜視図
【図８】図７の８−８線に沿う拡大断面図
【図９】従来の型枠の断面図
【符号の説明】
【００３８】
１・・・・・・・・・・型枠パネル（断熱パネル）
１０・・・・・・・・・・連結バー
３０・・・・・・・・・・縦端太
３１・・・・・・・・・・連結孔
４０・・・・・・・・・・横端太
５０・・・・・・・・・・緊結部材
５０ｄ・・・・・・・・・屈曲部
Ｃ・・・・・・・・・・支保工    
【図１】
2006169893.tif 000003
【図２】
2006169893.tif 000004
【図３】
2006169893.tif 000005
【図４】
2006169893.tif 000006
【図５】
2006169893.tif 000007
【図６】
2006169893.tif 000008
【図７】
2006169893.tif 000009
【図８】
2006169893.tif 000010
【図９】
2006169893.tif 000011